(57)【要約】      （修正有）【課題】発振回路の出力側に出力端子が接続された電源装置において、構成の簡素化を図る。【解決手段】電源装置は、ノイズフィルター４の出力側に接続した突入防止回路５を、発振回路７、または出力端子９、あるいは出力端子に接続される負荷からの信号で開閉するスイッチング素子１７と、フューズ１８と第１の抵抗素子１９との直列接続体と、第２の抵抗素子２０と、の並列接続体により構成するとともに、第２の抵抗素子の抵抗値を、第１の抵抗素子の抵抗値よりも大きくする。そして、フューズの遮断時には、第２の抵抗素子を介して、ノイズフィルターのコンデンサ素子１１の電荷を放電させる。【選択図】図１
0003226051.tif 000002
【実用新案登録請求の範囲】
【請求項１】
入力端子と、この入力端子の出力側に接続されたノイズフィルターと、このノイズフィルターの出力側に突入防止回路を介して接続された全波整流回路と、この全波整流回路の出力側に接続された発振回路と、この発振回路の出力側に接続された出力端子とを備え、
前記ノイズフィルターは、インダクタンス素子と第１のコンデンサ素子を有し、
前記全波整流回路は、少なくとも第１、第２、第３、第４の整流素子をブリッジ状に接続するとともに、その出力側に第２のコンデンサ素子を接続した構成とし、
前記突入防止回路は、前記発振回路、または前記出力端子、あるいはこの出力端子に接続される負荷からの信号で開閉するスイッチング素子と、フューズと第１の抵抗素子との直列接続体と、第２の抵抗素子と、の並列接続体により構成され、前記第２の抵抗素子の抵抗値は、第１の抵抗素子の抵抗値よりも大きくした電源装置。
【請求項２】
前記ノイズフィルターを構成する前記第１のコンデンサ素子の一端側を、第５の整流素子を介して前記発振回路に接続するとともに、前記ノイズフィルターを構成する前記第１のコンデンサ素子の他端側を、第６の整流素子を介して前記発振回路に接続した請求項１に記載の電源装置。
【請求項３】
前記突入防止回路を構成する前記スイッチング素子は、前記入力端子への電源供給停止によりオフ状態となり、前記ノイズフィルターを構成する前記第１のコンデンサ素子に蓄積された電荷は、前記第１のコンデンサ素子の一端側から、前記第５の整流素子、前記発振回路、前記全波整流回路を介して、この第１のコンデンサ素子の他端側に至る第１の放電回路と、前記第１のコンデンサ素子の他端側から、第６の整流素子、発振回路、全波整流回路、突入防止回路を介して、この１のコンデンサ素子の一端側に至る第２の放電回路、のいずれか一方により放電される構成とした請求項２に記載の電源装置。
【考案の詳細な説明】
【技術分野】
【０００１】
本考案は、発振回路の出力側に出力端子が接続された電源装置に関するものである。
【背景技術】
【０００２】
従来のこの種、電源装置は、入力端子と、この入力端子の出力側に接続されたノイズフィルターと、このノイズフィルターの出力側に突入防止回路を介して接続された全波整流回路と、この全波整流回路の出力側に接続された発振回路と、この発振回路の出力側に接続された出力端子と、を備えた構成となっている。
また、入力端子への電源供給が断たれた状態になると、具体的には、コンセントからプラグが抜かれた状態になると、半導体制御素子よりなる放電制御回路により、ノイズフィルターを構成するコンデンサ素子の電荷を放電させる構成となっている（これに類似する先行文献としては下記特許文献１が存在する）。
【先行技術文献】
【特許文献】
【０００３】
【特許文献１】特開２０１９−４７６５５号公報
【考案の概要】
【考案が解決しようとする課題】
【０００４】
上記従来例では、コンセントからプラグが抜かれると、半導体制御素子よりなる放電制御回路により、ノイズフィルターを構成するコンデンサ素子の電荷を放電させる構成となっているが、このコンデンサの放電のためだけに半導体制御素子よりなる放電制御回路を設けると、構成が複雑になってしまう。
そこで、本考案は、構成の簡素化を図ることを目的とするものである。
【課題を解決するための手段】
【０００５】
そして、この目的を達成するために、本考案の電源装置は、入力端子と、この入力端子の出力側に接続されたノイズフィルターと、このノイズフィルターの出力側に突入防止回路を介して接続された全波整流回路と、この全波整流回路の出力側に接続された発振回路と、この発振回路の出力側に接続された出力端子とを備え、前記ノイズフィルターは、インダクタンス素子と第１のコンデンサ素子を有し、前記全波整流回路は、少なくとも第１、第２、第３、第４の整流素子をブリッジ状に接続するとともに、その出力側に第２のコンデンサ素子を接続した構成とし、前記突入防止回路は、前記発振回路、または出力端子、あるいはこの出力端子に接続される負荷からの信号で開閉するスイッチング素子と、フューズと第１の抵抗素子との直列接続体と、第２の抵抗素子と、の並列接続体により構成され、前記第２の抵抗素子の抵抗値は、前記第１の抵抗素子の抵抗値よりも大きくしたものである。
【考案の効果】
【０００６】
以上のように本考案の電源装置は、ノイズフィルターの出力側に接続した突入防止回路を、発振回路、または出力端子、あるいはこの出力端子に接続される負荷からの信号で開閉するスイッチング素子と、フューズと第１の抵抗素子との直列接続体と、第２の抵抗素子と、の並列接続体により構成するとともに、前記第２の抵抗素子の抵抗値を第１の抵抗素子の抵抗値よりも大きくしたものであるので、構成の簡素化を図ることが出来る。
すなわち、本考案においては、突入防止回路を構成するスイッチング素子と、フューズと第１の抵抗素子との直列接続体との並列接続体に、第１の抵抗素子の抵抗値よりも大きな抵抗値を有する第２の抵抗素子を並列接続しただけのものであり、構成の大幅な簡素化を図ることが出来るのである。
【図面の簡単な説明】
【０００７】
【図１】本考案の一実施形態にかかる電源装置の回路図である。
【考案を実施するための形態】
【０００８】
以下、本考案の一実施形態を、添付図面を用いて説明する。
（実施の形態１）
図１において、１は入力端子で、商用交流電源２にコンセント３を介して着脱自在に接続されるようになっている。
前記入力端子１の出力側にはノイズフィルター４が接続され、このノイズフィルター４の出力側には、突入防止回路５を介して全波整流回路６が接続され、この全波整流回路６の出力側には発振回路７が接続され、この発振回路７の出力側には整流回路８を介して出力端子９が接続されている。
【０００９】
ノイズフィルター４は、インダクタンス素子１０と第１のコンデンサ素子１１を有する一般的なものである。
【００１０】
全波整流回路６は、少なくとも四つの整流素子（第1、第2、第3、第4の整流素子１２、１３、１４、１５）をブリッジ状に接続するとともに、その出力側に第２のコンデンサ素子１６を接続した一般的なものである。
【００１１】
突入防止回路５は、発振回路７、または出力端子９、あるいはこの出力端子９に接続される負荷（図示していないが、例えば、印刷装置）からの信号で開閉するスイッチング素子１７と、フューズ１８と第１の抵抗素子１９との直列接続体と、第２の抵抗素子２０と、の並列接続体により構成されており、第２の抵抗素子２０の抵抗値は、第１の抵抗素子１９の抵抗値よりも大きくしている。
【００１２】
発振回路７は、制御素子２１と、トランス２２、制御素子２３等を備えた一般的なものであり、制御素子２３の通常駆動電源は、トランス２２、整流素子２４、コンデンサ素子２５を介して供給されるようになっている。
また、制御素子２１と制御素子２３は抵抗素子２６を介して接続されている。
【００１３】
さらに、整流回路８は、整流素子２７、コンデンサ素子２８により構成された一般的なものである。
【００１４】
次に、ノイズフィルター４を構成する第１のコンデンサ素子１１の一端側は、第５の整流素子２９、抵抗素子３０、３１を介して発振回路７の制御素子２１に接続されている。
また、ノイズフィルター４を構成する第１のコンデンサ素子１１の他端側は、第６の整流素子３２、抵抗素子３３、３１を介して発振回路７の制御素子２１に接続されている。
【００１５】
以上の構成の大部分は良く知られた構成であるので、説明の煩雑化を図るために簡単に説明する。
つまり、入力端子１が商用交流電源２のコンセント３に接続されると、発振回路７の制御素子２１には、極性により、第５の整流素子２９、抵抗素子３０、３１、あるいは第６の整流素子３２、抵抗素子３３、３１を介して、初期電源が供給される。
つまり、スタンバイ状態になるのである。
【００１６】
また、これと同時に、フューズ１８と第１の抵抗素子１９との直列接続体を介して全波整流回路６に電源が供給されるが、この時、第１の抵抗素子１９の存在により、第２のコンデンサ素子１６への急激な電流流入が抑制される。つまり、突入防止が図られるのである。
この時、スイッチング素子１７はオフ状態であるが、スタンバイ状態が出来上がったことで、発振回路７、または出力端子９、あるいはこの出力端子９に接続される負荷（図示していないが、例えば、印刷装置）からの信号でスイッチング素子１７がオン状態にされると、出力端子９への本格的な電源供給が行われる。
【００１７】
商用交流電源２のコンセント３から入力端子１が引き抜かれると、発振回路７の制御素子２１は第５の整流素子２９、または第６の整流素子３２を介しての電源供給が断たれたことを検出し、この発振回路７、または出力端子９、あるいはこの出力端子９に接続される負荷（図示していないが、例えば、印刷装置）からの信号でスイッチング素子１７がオフ状態となる。
【００１８】
したがって、この状態では、ノイズフィルター４を構成する第１のコンデンサ素子１１に蓄積された電荷は、極性により、この第１のコンデンサ素子１１の一端側から、第５の整流素子２９、抵抗素子３０、３１、制御素子２１、全波整流回路６の第2の整流素子１３を介して、このコンデンサ素子１１の他端側に至り、放電される。
【００１９】
また、極性が逆の場合には、第１のコンデンサ素子１１の他端側から、第６の整流素子３２、抵抗素子３３、３１、制御素子２１、全波整流回路６の第４の整流素子１５、突入防止回路５の第１の抵抗素子１９、フューズ１８を介して、この第１のコンデンサ素子１１の一端側に至り、放電される。
【００２０】
しかしながら、フューズ１８は過電流による安全対策として遮断されることもあるので、その時には、上記、極性が逆の場合、第１のコンデンサ素子１１の他端側から、第６の整流素子３２、抵抗素子３３、３１、制御素子２１、全波整流回路６の整流素子１５、突入防止回路５の第２の抵抗素子２０を介して、この第１のコンデンサ素子１１の一端側に至り、放電される。
【００２１】
この第２の抵抗素子２０の抵抗値は、第１の抵抗素子１９よりも大きくしているので、通常時には、電流はほとんど流れないが、上記フューズ１８遮断の異常時には、この第２の抵抗素子２０を介して、第１のコンデンサ素子１１の電荷を確実に放電させることができる。
【００２２】
以上の様に、本実施形態は、突入防止回路５を構成するスイッチング素子１７と、フューズ１８と第１の抵抗素子１９との直列接続体との並列接続体に対して、前記第１の抵抗素子１９の抵抗値よりも抵抗値の大きな第２の抵抗素子２０を並列接続しただけのものであり、構成の大幅な簡素化を図ることが出来るのである。
【産業上の利用可能性】
【００２３】
本考案は、各種電子機器の電源装置として使用される。
【符号の説明】
【００２４】
１  入力端子
２  商用交流電源
３  コンセント
４  ノイズフィルター
５  突入防止回路
６  全波整流回路
７  発振回路
８  整流回路
９  出力端子
１０  インダクタンス素子
１１  第１のコンデンサ素子
１２  第１の整流素子
１３  第2の整流素子
１４  第3の整流素子
１５  第4の整流素子
１６  第2のコンデンサ素子
１７  スイッチング素子
１８  フューズ
１９  第１の抵抗素子
２０  第２の抵抗素子
２１  制御素子
２２  トランス
２３  制御素子
２４  整流素子
２５  コンデンサ素子
２６  抵抗素子
２７  整流素子
２８  コンデンサ素子
２９  第５の整流素子
３０  抵抗素子
３１  抵抗素子
３２  第６の整流素子
３３  抵抗素子
【図１】
0003226051.tif 000003